(57)【要約】      （修正有）【課題】記録紙が、カッターと筐体部分との隙間に、入り込まないプリンタ装置を提供する。【解決手段】プリンタ本体部１０に蓋部２０を有し、プリンタ本体部に固定刃ユニットが設置され、蓋部に可動刃ユニット６０が設置され、蓋部を閉じることによりカッターが形成されるものであって、可動刃ユニットにはジンバルプレート７０が接続され、可動刃ユニットとジンバルプレートの間にはバネが設置され、蓋部にジンバルプレートを接続することにより蓋部に可動刃ユニットが設置されるもので、プリンタ本体部と蓋部の端部との隙間により、記録紙を排紙する排紙口１３が形成され、排紙口を形成している蓋部の端部には、可動刃６１が設けられている側に折り曲げられた第１の記録紙面ガイド部２１が形成され、ジンバルプレートにおける排紙口の側には、可動刃が設けられている側に折り曲げられた第２の記録紙面ガイド部７６が形成されている。【選択図】図８
2015163448.tif 000002
【特許請求の範囲】
【請求項１】
記録紙に印字を行うプリントヘッドを有するプリンタ本体部と、
前記プリンタ本体部に開閉可能な状態で接続されている蓋部と、
を有し、
前記プリンタ本体部には、固定刃を有する固定刃ユニットが設置されており、
前記蓋部には、可動刃を有する可動刃ユニットが設置されており、
前記蓋部を閉じることにより、前記固定刃と前記可動刃とにより、前記記録紙を切断するためのカッターが形成されるものであって、
前記可動刃ユニットには、ジンバルプレートが接続されており、前記可動刃ユニットと、前記ジンバルプレートの間には、バネが設置されており、
前記蓋部に前記ジンバルプレートを接続することにより、前記蓋部に前記可動刃ユニットが設置されるものであって、
前記プリンタ本体部と前記蓋部の端部との隙間により、前記記録紙を排紙する排紙口が形成されており、
前記排紙口を形成している前記蓋部の端部には、前記可動刃が設けられている側に折り曲げられた第１の記録紙面ガイド部が形成されており、
前記ジンバルプレートにおける前記排紙口の側には、前記可動刃が設けられている側に折り曲げられた第２の記録紙面ガイド部が形成されていることを特徴とするプリンタ装置。
【請求項２】
前記第２の記録紙面ガイド部は、前記ジンバルプレートの一部に形成されており、
前記第１の記録紙面ガイド部は、前記第２の記録紙面ガイド部が形成されていない部分に入り込むように形成されていることを特徴とする請求項１に記載のプリンタ装置。
【請求項３】
前記第２の記録紙面ガイド部は複数形成されており、
前記第１の記録紙面ガイド部は複数形成されていることを特徴とする請求項２に記載のプリンタ装置。
【請求項４】
前記ジンバルプレートは、金属板を折り曲げることにより形成されており、
前記第１の記録紙面ガイド部は、前記蓋部の端部において、両端と中央部分の３カ所に形成されており、
前記第２の記録紙面ガイド部は、前記第１の記録紙面ガイド部が形成されていない部分の２カ所に形成されていることを特徴とする請求項２に記載のプリンタ装置。
【請求項５】
前記固定刃ユニットには、固定刃、搬送用モータ、可動刃用モータ、搬送用ギアボックス、可動刃用ギアボックスを有しており、
前記可動刃ユニットには、プラテンローラが設置されており、
前記蓋部を閉じることにより、前記固定刃と前記可動刃とにより、前記記録紙を切断するためのカッターが形成され、前記搬送用モータにより、前記搬送用ギアボックスに設けられた搬送用ギアを介し、前記プラテンローラを回転させて前記記録紙を搬送し、前記可動刃用モータにより、前記可動刃用ギアボックスを介し、前記可動刃を駆動するものであることを特徴とする請求項１から４のいずれかにプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。レシート等を発行するプリンタは、記録紙となる感熱紙を搬送しながらサーマルヘッド等により記録紙に印字等を行ない、所定の長さまで記録紙を搬送した後、カッターにより所定の長さで記録紙が切断される。このようなカッターは、固定刃と可動刃とを有しており、可動刃が固定刃が設けられている側に動くことにより、固定刃と可動刃との間に挟まれた記録紙が切断される。
【０００３】
このようなプリンタ装置として、クラムシェルタイプのプリンタ装置がある。クラムシェルタイプのプリンタ装置とは、プリンタ本体部とプリンタ本体部に開閉可能な状態で接続されている蓋部とを有しており、プリンタ本体部の内部にロール状に巻かれた記録紙を設置した後、蓋部を閉じることにより、記録紙に印字することが可能な状態となる。クラムシェルタイプのプリンタ装置においても、記録紙を切断するためのカッターが取り付けられているが、記録紙は固定刃と可動刃との間に挟まれて切断されるため、固定刃または可動刃のいずれか一方が、プリンタ本体部に設置され、他方が蓋部に設置されている。従って、クラムシェルタイプのプリンタ装置においては、蓋部を閉じることにより、固定刃と可動刃とがカッターとして機能する所定の位置に設置されるため、固定刃と可動刃とにより、記録紙の切断が可能な状態となる。
【先行技術文献】
【特許文献】
【０００４】
【特許文献１】特開２０１０−１７３１２９号公報
【特許文献２】特開２０１０−２１４６５８号公報
【発明の概要】
【発明が解決しようとする課題】
【０００５】
ところで、クラムシェルタイプのプリンタ装置においては、上述したように、プリンタ本体部に接続されている蓋部を閉じることにより、固定刃と可動刃とが所定の位置に設置され、カッターとして機能する状態となる。しかしながら、このようなクラムシェルタイプのプリンタ装置においては、カッターより後段において、記録紙がカッターと筐体等の隙間に入り込み記録紙が詰まる場合がある。このことは、ロール状に巻かれた記録紙を用いた場合に生じやすく、特に、記録紙におけるカールが強い場合に顕著となる。
【０００６】
このため、クラムシェルタイプのプリンタ装置において、記録紙がカッターと蓋部等の筐体部分との隙間に入り込むことがなく、記録紙が詰まりにくいプリンタ装置が求められている。
【課題を解決するための手段】
【０００７】
本実施の形態の一観点によれば、記録紙に印字を行うプリントヘッドを有するプリンタ本体部と、前記プリンタ本体部に開閉可能な状態で接続されている蓋部と、を有し、前記プリンタ本体部には、固定刃を有する固定刃ユニットが設置されており、前記蓋部には、可動刃を有する可動刃ユニットが設置されており、前記蓋部を閉じることにより、前記固定刃と前記可動刃とにより、前記記録紙を切断するためのカッターが形成されるものであって、前記可動刃ユニットには、ジンバルプレートが接続されており、前記可動刃ユニットと、前記ジンバルプレートの間には、バネが設置されており、前記蓋部に前記ジンバルプレートを接続することにより、前記蓋部に前記可動刃ユニットが設置されるものであって、前記プリンタ本体部と前記蓋部の端部との隙間により、前記記録紙を排紙する排紙口が形成されており、前記排紙口を形成している前記蓋部の端部には、前記可動刃が設けられている側に折り曲げられた第１の記録紙面ガイド部が形成されており、前記ジンバルプレートにおける前記排紙口の側には、前記可動刃が設けられている側に折り曲げられた第２の記録紙面ガイド部が形成されていることを特徴とする。
【発明の効果】
【０００８】
本発明によれば、クラムシェルタイプのプリンタ装置において、記録紙がカッターと蓋部等の筐体部分との隙間に入り込むことがなく、記録紙が詰まりにくいプリンタ装置を提供することができる。
【図面の簡単な説明】
【０００９】
【図１】従来のプリンタ装置の蓋部が閉じている状態の断面図
【図２】従来のプリンタ装置の蓋部が閉じている状態の断面の要部拡大図
【図３】本実施の形態におけるプリンタ装置の蓋部が開いている状態の斜視図（１）
【図４】本実施の形態におけるプリンタ装置の蓋部が開いている状態の斜視図（２）
【図５】本実施の形態におけるプリンタ装置の蓋部が開いている状態の斜視図（３）
【図６】本実施の形態におけるプリンタ装置の蓋部が閉じている状態の斜視図
【図７】本実施の形態におけるプリンタ装置の蓋部が閉じている状態の断面図
【図８】本実施の形態におけるプリンタ装置の蓋部が閉じている状態の断面の要部拡大図
【図９】本実施の形態におけるプリンタ装置の固定刃ユニットの説明図
【図１０】本実施の形態におけるプリンタ装置の可動刃ユニットの説明図（１）
【図１１】本実施の形態におけるプリンタ装置の可動刃ユニットの説明図（２）
【図１２】ジンバルプレートの説明図
【図１３】本実施の形態におけるプリンタ装置の固定刃ユニットと可動刃ユニットが接続されている状態の説明図
【図１４】蓋部に可動刃ユニットが設置されている状態の斜視図
【発明を実施するための形態】
【００１０】
本発明を実施するための形態について、以下に説明する。尚、同じ部材等については、同一の符号を付して説明を省略する。
【００１１】
最初に、従来のクラムシェルタイプのプリンタ装置について説明する。従来のクラムシェルタイプのプリンタ装置は、図１及び図２に示されるように、プリンタ本体部９１０と蓋部９２０とを有している。尚、図１は、従来のクラムシェルタイプのプリンタ装置の断面図であり、図２は、図１の要部拡大図である。
【００１２】
プリンタ本体部９１０には、ロール状に巻かれた記録紙を設置するための空間を有する記録紙ホルダー９１１が形成されており、蓋部９２０は、蓋部９２０の一方の端部９２０ａにおいて、プリンタ本体部９１０に開閉可能な状態で接続されている。即ち、蓋部９２０の一方の端部９２０ａに設けられている軸部においてプリンタ本体部９１０に接続されており、一方の端部９２０ａに接続されている軸部を中心に、蓋部９２０を回転させることにより、蓋部９２０を開閉することができる。このプリンタ装置を使用する際には、プリンタ本体部９１０における記録紙ホルダー９１１の内側に、ロール状に巻かれた不図示の記録紙を設置し、蓋部９２０を閉じる。これにより、プリンタ装置において記録紙に印字が可能な状態となる。
【００１３】
このプリンタ装置には、プリンタ本体部９１０にはプリントヘッドとなるサーマルヘッド９３０が設置されており、蓋部９２０にはプラテンローラ９４０が設置されている。プリンタ本体部９１０には固定刃９５１が設置されており、蓋部９２０には可動刃９６１が設置されている。プリンタ本体部９１０には、不図示の記録紙を搬送するため、プラテンローラ９４０を回転させるための搬送用モータ９５２が設置されている。尚、プラテンローラ９４０及び可動刃９６１は、蓋部９２０の他方の端部９２０ｂの近傍に設置されている。
【００１４】
サーマルヘッド９３０において印字のなされた記録紙は、カッターを形成している固定刃９５１と可動刃９６１との間を通り、排紙口９１３より排紙される。排紙口９１３は、蓋部９２０の他方の端部９２０ｂとプリンタ本体部９１０との間における隙間により形成されている。ところで、図１及び図２に示されるプリンタ装置の場合、排紙口９１３において、蓋部９２０と可動刃９６１との間に隙間があると、排紙口９１３より排紙される記録紙は、その隙間に入り込み記録紙が詰まりジャムとなってしまう。このことは、特に、ロール状に巻かれた記録紙のカールが強い場合により顕著となる。
【００１５】
このため、例えば、蓋部９２０の内側に可動刃９６１を直接設置することができれば、このような問題を解消することが可能となる。しかしながら、可動刃９６１はスライドして動くため、機構部分や筐体部分を有しており、蓋部９２０と可動刃９６１との間には隙間が生じてしまう。更に、後述するように、可動刃９６１を有する可動刃ユニットにジンバルプレート等が接続されている場合には、蓋部９２０と可動刃９６１との間における隙間が、より一層広くなるため、更に、この隙間に記録紙が入り込みやすくなり、記録紙が詰まりやすくなる。
【００１６】
（プリンタ装置）
次に、本実施の形態におけるプリンタ装置について、図３から図８に基づき説明する。尚、図３から図５は、本実施の形態におけるプリンタ装置の蓋部が開いている状態を各々異なる方向から見た斜視図であり、図６は、本実施の形態におけるプリンタ装置の蓋部が閉じている状態の斜視図である。また、図７は、本実施の形態におけるプリンタ装置の蓋部が閉じている状態の断面図であり、図８は、図７の要部拡大図である。
【００１７】
本実施の形態におけるプリンタ装置は、クラムシェルタイプのプリンタ装置であり、プリンタ本体部１０と蓋部２０とを有している。プリンタ本体部１０には、ロール状に巻かれた記録紙を設置するための空間を有する記録紙ホルダー１１が形成されており、蓋部２０は、蓋部２０の一方の端部２０ａにおいて、プリンタ本体部１０に開閉可能な状態で接続されている。即ち、蓋部２０は、蓋部２０の一方の端部２０ａの近傍に設けられている回転軸においてプリンタ本体部１０に接続されており、この回転軸を中心に、蓋部２０を回転させることにより、蓋部２０を開閉することができる。本実施の形態において、プリンタ装置を使用する際には、プリンタ本体部１０における記録紙ホルダー１１の内部に、ロール状に巻かれた不図示の記録紙を設置し、図６に示されるように、蓋部２０を閉じる。これにより、本実施の形態におけるプリンタ装置において、記録紙に印字が可能な状態となる。
【００１８】
本実施の形態におけるプリンタ装置においては、プリンタ本体部１０にはプリントヘッドとなるサーマルヘッド３０が設置されており、蓋部２０にはプラテンローラ４０が設置されている。プリンタ本体部１０には固定刃５１が設置されており、蓋部２０には可動刃６１が設置されている。プリンタ本体部１０には、不図示の記録紙を搬送するためプラテンローラ４０を回転させるための搬送用モータ５２及び可動刃６１を駆動するための可動刃用モータ５３が設置されている。尚、プラテンローラ４０及び可動刃６１は、蓋部２０の他方の端部２０ｂの近傍に設置されている。
【００１９】
本実施の形態におけるプリンタ装置においては、蓋部２０を閉じることにより、サーマルヘッド３０とプラテンローラ４０との間に記録紙が挟まれ、固定刃５１と可動刃６１との間に記録紙が挟まれる。このようにして、本実施の形態におけるプリンタ装置においては、蓋部２０を閉じることにより、固定刃５１と可動刃６１とが所定の位置に配置されてカッターが形成され、記録紙への印字及び切断が可能な状態となる。尚、プリンタ本体部１０の外側には、本実施の形態のプリンタ装置を制御するための制御基板１２が設置されている。
【００２０】
本実施の形態におけるプリンタ装置においては、サーマルヘッド３０において印字のなされた記録紙は、カッターとなる固定刃５１と可動刃６１との間を通り、排紙口１３より排紙される。排紙口１３は、蓋部２０の他方の端部２０ｂとプリンタ本体部１０との間における隙間により形成されている。
【００２１】
（固定刃ユニット）
本実施の形態におけるプリンタ装置においては、プリンタ本体部１０には、図９に示される固定刃５１を有する固定刃ユニット５０が設置されている。尚、図９（ａ）は、固定刃ユニット５０の斜視図であり、図９（ｂ）は、側面図である。固定刃ユニット５０には、固定刃５１の他に、搬送用モータ５２、可動刃用モータ５３、搬送用ギアボックス５４及びの可動刃用ギアボックス５５が設けられている。搬送用ギアボックス５４の内部には不図示の複数の搬送用ギアが設けられており、搬送用ギアボックス５４はこれらの複数の搬送用ギアを覆っている。また、可動刃用ギアボックス５５の内部には不図示の複数の可動刃用ギアが設けられており、可動刃用ギアボックス５５はこれらの複数の可動刃用ギアを覆っている。
【００２２】
本実施の形態においては、搬送用モータ５２を回転させることにより、搬送用ギアボックス５４における内部の不図示の複数の搬送ギアを介し、プラテンローラ４０を回転させることができる。また、可動刃用モータ５３を回転させることにより、可動刃用ギアボックス５５における内部の不図示の複数の可動刃用ギアを介し、可動刃６１をスライドして動かすことができる。
【００２３】
搬送用ギアボックス５４及び可動刃用ギアボックス５５は、亜鉛ダイキャストにより形成されており、搬送用ギアボックス５４及び可動刃用ギアボックス５５は、固定刃ユニット５０の各々の側面に設けられている。即ち、固定刃ユニット５０における一方の側面には、搬送用ギアボックス５４が設けられており、他方の側面には、可動刃用ギアボックス５５が設けられている。
【００２４】
（可動刃ユニット）
また、本実施の形態におけるプリンタ装置においては、蓋部２０の他方の端部２０ｂの近傍に、図１０及び図１１に示される可動刃ユニット６０が設置されている。この可動刃ユニット６０は可動刃６１を有している。尚、図１０（ａ）は、可動刃ユニット６０の斜視図であり、図１０（ｂ）は、側面図である。図１１は、プラテンローラ４０が設置されており、ジンバルプレート７０が取り外されている状態における可動刃ユニット６０の斜視図である。
【００２５】
可動刃ユニット６０は、全体がステンレス等からなる金属板を折り曲げることにより形成された可動刃ユニット筐体部６２を有しており、可動刃ユニット筐体部６２の内部に可動刃６１が設置されている。可動刃ユニット６０には、蓋部２０に取り付けられる側に、ジンバルプレート７０が接続されており、ジンバルプレート７０と可動刃ユニット６０との間には、２つの巻きバネ８１が設置されている。本実施の形態においては、ジンバルプレート７０に設けられた２つの取り付け穴７１より不図示のネジを入れ、このネジにより、ジンバルプレート７０を蓋部２０にネジ留めすることにより、可動刃ユニット６０を蓋部２０に取り付けることができる。本実施の形態においては、不図示のネジにより取り付けるための取り付け穴７１は、巻きバネ８１の中央部分の空間に位置するように形成されている。
【００２６】
更に、図１１に基づきより詳細に可動刃ユニット６０について説明する。ジンバルプレート７０は、ステンレス等からなる金属板を加工することにより形成されており、ジンバルプレート７０と可動刃ユニット６０との間には、２つの巻きバネ８１が設置されている。可動刃６１はラック６３に取り付けられており、固定刃ユニット５０における可動刃用モータ５３を回転させることにより、可動刃用ギアボックス５５における不図示の可動刃用ギアを介して、ラック６３とともに可動刃６１をスライドして動かすことができる。
【００２７】
本実施の形態におけるプリンタ装置においては、図１１に示されるように、ラック６３の両端近傍において、ジンバルプレート７０側に出っ張った第３の記録紙面ガイド部６４が設けられている。第３の記録紙面ガイド部６４は、ラック６３がスライドした際に、第２の記録紙面ガイド部７６と重複しない位置に形成されている。このようにラック６３の両端に第３の記録紙面ガイド部６４を形成することにより、記録紙が詰まることをより確実に防ぐことができる。
【００２８】
（ジンバルプレート）
次に、図１２に基づきジンバルプレート７０について、より詳細に説明する。図１２（ａ）は、ジンバルプレート７０を上面方向から見た斜視図であり、図１２（ｂ）は、裏面方向から見た斜視図である。ジンバルプレート７０には、両側の端部において、コの字状に形成された第１のフック部７２が設けられており、中央部分において曲げられている接続折り曲げ部７３の両端には、第２のフック部７４が設けられている。よって、ジンバルプレート７０には、第１のフック部７２は２カ所に設けられており、第２のフック部７４も２カ所に設けられている。尚、第１のフック部７２は、ジンバルプレート７０が接続された際に、固定刃５１に近い側に形成されており、第２のフック部７４は、第１のフック部７２とは反対側、即ち、固定刃５１から遠い側に形成されている。ジンバルプレート７０は金属板を折り曲げることにより形成されており、第１のフック部７２を形成している面と、第２のフック部７４を形成している面とは、直交するように形成されている。
【００２９】
ジンバルプレート７０を可動刃ユニット６０に接続する際には、図１０（ａ）、図１１等に示されるように、最初に、ジンバルプレート７０に設けられている第１のフック部７２を可動刃ユニット筐体部６２の両端の各々に設けられている第１の凸部６２ａに引っかける。この後、第２のフック部７４を可動刃ユニット筐体部６２の第２の凸部６２ｂに引っかけることにより、ジンバルプレート７０を可動刃ユニット６０に接続することができる。この際、ジンバルプレート７０と可動刃ユニット６０との間には、巻きバネ８１が設置されており、この巻きバネ８１の復元力は、ジンバルプレート７０と可動刃ユニット６０とが離れる方向に働いている。即ち、巻きバネ８１の復元力に抗して、第１のフック部７２を第１の凸部６２ａに引っかけ、第２のフック部７４を第２の凸部６２ｂに引っかけることにより、可動刃ユニット６０にジンバルプレート７０が接続される。
【００３０】
巻きバネ８１は、ジンバルプレート７０を蓋部２０に取り付ける際に用いられる取り付け穴７１の位置が、巻きバネ８１の内側の空間と一致するように設置されている。このように、巻きバネ８１の内側の空間と取り付け穴７１の位置とが一致するように、巻きバネ８１を設置することにより、ジンバルプレート７０をネジにより蓋部２０にネジ等により固定する際の作業スペースを確保することができる。言い換えるならば、巻きバネ８１の内側の空間と取り付け穴７１の位置とが異なる位置に形成されていると、その分だけプリンタ装置が大型化してしまう。しかしながら、本実施の形態においては、巻きバネ８１の内側の空間と取り付け穴７１の位置とが一致するように形成されている。これにより、巻きバネ８１の内側の空間におけるデッドスペースをジンバルプレート７０を蓋部２０にネジ等により取り付ける際の作業スペースとして有効活用することができ、プリンタ装置を小型にすることができる。
【００３１】
また、ジンバルプレート７０において、固定刃５１に近い側には、不図示の記録紙と接しガイドする記録紙側部ガイド部７５と第２の記録紙面ガイド部７６が設けられている。記録紙側部ガイド部７５は不図示の記録紙の側部の端をガイドするためのものであり、ジンバルプレート７０の両端の近傍に各々設けられている。即ち、ジンバルプレート７０において、記録紙側部ガイド部７５は２カ所に設けられている。また、第２の記録紙面ガイド部７６は、不図示の記録紙の紙面をガイドするためのものであり、ジンバルプレート７０においては、記録紙と接する側に２カ所設けられている。
【００３２】
図９に示される固定刃ユニット５０及び図１０に示される可動刃ユニット６０は、蓋部２０を閉じることにより、図１３に示すように接続され、固定刃５１と可動刃６１によりカッターが形成される。尚、図１３（ａ）は、本実施の形態におけるプリンタ装置において、蓋部２０が閉じられている状態における固定刃ユニット５０と可動刃ユニット６０の斜視図であり、図１３（ｂ）は、側面図である。
【００３３】
（第１の記録紙面ガイド部、第２の記録紙面ガイド部）
次に、図８、図１４に基づき、本実施の形態におけるプリンタ装置の第１の記録紙面ガイド部２１及び第２の記録紙面ガイド部７６について説明する。尚、図１４はプリンタ本体部１０より取り外された蓋部２０の斜視図である。図１４に示されるように、蓋部２０の一方の端部２０ａには回転軸２０ｃが設けられており、蓋部２０は、プリンタ本体部１０に回転軸２０ｃにおいて回転可能な状態で接続されている。
【００３４】
本実施の形態におけるプリンタ装置においては、排紙口１３を形成している蓋部２０の他方の端部２０ｂは、可動刃６１の設けられている側に曲げられた形状となっており、これにより、記録紙のガイドとなる第１の記録紙面ガイド部２１が形成されている。また、蓋部２０に取り付けられているジンバルプレート７０においても同様に、排紙口１３の側となる部分が曲げられており、これにより、第２の記録紙面ガイド部７６が形成されている。本実施の形態においては、第２の記録紙面ガイド部７６は、ジンバルプレート７０の一部に所定の間隔で複数形成されている。また、蓋部２０の他方の端部２０ｂに形成されている第１の記録紙面ガイド部２１は、ジンバルプレート７０における第２の記録紙面ガイド部７６が形成されていない部分に入り込むように形成されている。尚、第１の記録紙面ガイド部２１についても、複数形成されている。
【００３５】
このように、蓋部２０の他方の端部２０ｂに第１の記録紙面ガイド部２１を形成し、ジンバルプレート７０に第２の記録紙面ガイド部７６を形成することにより、排紙口１３において、可動刃６１と蓋部２０との間における隙間を極めて狭くすることができる。即ち、本実施の形態におけるプリンタ装置においては、排紙口１３における可動刃６１と蓋部２０との間には、第１の記録紙面ガイド部２１及び第２の記録紙面ガイド部７６が形成されているため、可動刃６１と蓋部２０との間には、ほとんど隙間がない。従って、可動刃６１と蓋部２０との間に、記録紙が入り込むことを防ぐことができ、記録紙が詰まることを防止することができるため、記録紙によるジャムの発生を抑制することができる。
【００３６】
上述のとおり、本実施の形態においては、図８、図１４に示されるように、排紙口１３には、蓋部２０の他方の端部２０ｂにおける第１の記録紙面ガイド部２１が形成されており、更に、ジンバルプレート７０における第２の記録紙面ガイド部７６が形成されている。本実施の形態においては、例えば、蓋部２０の他方の端部２０ｂに形成されている第１の記録紙面ガイド部２１は、両側の端部分と中央部分の計３カ所に形成されている。また、ジンバルプレート７０に形成されている第２の記録紙面ガイド部７６は、第１の記録紙面ガイド部２１の間に入り込むように形成されている。即ち、第２の記録紙面ガイド部７６は、第１の記録紙面ガイド部２１における端部分の一方と中央部分との間及び第１の記録紙面ガイド部２１における端部分の他方と中央部分との間において、各々入り込むように形成されており、合わせて２カ所に形成されている。
【００３７】
従って、本実施の形態におけるプリンタ装置においては、記録紙は可動刃６１と蓋部２０との間における隙間は極めて狭いため、記録紙が入り込むことはない。よって、排紙口１３における可動刃６１と蓋部２０との間において記録紙が詰まることが防止される。
【００３８】
以上、本発明の実施に係る形態について説明したが、上記内容は、発明の内容を限定するものではない。
【符号の説明】
【００３９】
１０        プリンタ本体部
１１        記録紙ホルダー
１２        制御基板
２０        蓋部
２１        第１の記録紙面ガイド部
３０        サーマルヘッド
４０        プラテンローラ
５０        固定刃ユニット
５１        固定刃
５２        搬送用モータ
５３        可動刃用モータ
５４        搬送用ギアボックス
５５        可動刃用ギアボックス
６０        可動刃ユニット
６１        可動刃
６２        可動刃ユニット筐体部
６２ａ      第１の凸部
６２ｂ      第２の凸部
６３        ラック
７０        ジンバルプレート
７１        取り付け穴
７２        第１のフック部
７３        接続折り曲げ部
７４        第２のフック部
７５        記録紙側部ガイド部
７６        第２の記録紙面ガイド部
８１        巻きバネ
【図１】
2015163448.tif 000003
【図２】
2015163448.tif 000004
【図３】
2015163448.tif 000005
【図４】
2015163448.tif 000006
【図５】
2015163448.tif 000007
【図６】
2015163448.tif 000008
【図７】
2015163448.tif 000009
【図８】
2015163448.tif 000010
【図９】
2015163448.tif 000011
【図１０】
2015163448.tif 000012
【図１１】
2015163448.tif 000013
【図１２】
2015163448.tif 000014
【図１３】
2015163448.tif 000015
【図１４】
2015163448.tif 000016